(57)【特許請求の範囲】
【請求項１】
２つの基板が隔壁を挟んで対向配置され、一方の前記基板上には隣接する隔壁の間に位置するようにアドレス電極が形成され、他方の前記基板上には前記アドレス電極と直交する方向に維持電極および走査電極が形成され、前記２つの基板と前記隔壁とで囲まれた放電セルを複数有し、それぞれの前記放電セル内には蛍光体が形成されており、放電セルを構成する隔壁の間隔を放電セルの幅とするとき、複数色のうち少なくとも一色の蛍光体が形成された放電セルの幅が他の色の蛍光体が形成された放電セルの幅と異なっており、前記複数色のうちの一色の蛍光体が形成された前記放電セルの幅をＷ1、その放電セル内に設けられた前記アドレス電極の幅をＤ1とし、前記Ｗ1の幅の放電セルに形成された前記蛍光体とは異なる色の蛍光体が形成された前記放電セルの幅をＷ2、その放電セル内に設けられた前記アドレス電極の幅をＤ2とするとき、Ｗ1がＷ2よりも大きく、Ｄ1がＤ2よりも大きく、前記Ｗ1の幅の放電セルには青色の蛍光体が形成され、前記Ｗ2の幅の放電セルには緑色または赤色の蛍光体が形成されたことを特徴とするＡＣ型プラズマディスプレイパネル。
【請求項２】
前記Ｗ1と前記Ｄ1との比をｒ1、前記Ｗ2と前記Ｄ2との比をｒ2とするとき、ｒ1とｒ2とが等しいことを特徴とする請求項１に記載のＡＣ型プラズマディスプレイパネル。
【発明の詳細な説明】
【技術分野】
【０００１】
本発明はテレビジョン受像機および広告表示盤等の画像表示に用いるＡＣ型プラズマディスプレイパネルに関する。
【背景技術】
【０００２】
図１１は従来のＡＣ型プラズマディスプレイパネル（以下、単に「パネル」と称する）の概略構成を示した部分切欠斜視図である。また、図１２は図１１のＢ−Ｂ線における矢印方向から見た断面図である。
【０００３】
図１１に示すように、従来のＡＣ型プラズマディスプレイパネル８０では、放電空間を挟んで表面基板８２と背面基板８３とが対向して配置されている。表面基板８２上には、ストライプ状の走査電極８６と維持電極８７とを一対としてこれらが互いに略平行に複数配列され、これらは誘電体層８４および保護膜８５で覆われている。背面基板８３上には、走査電極８６および維持電極８７と直交する方向に、ストライプ状のアドレス電極８８が略平行に複数形成されている。また、アドレス電極８８の間にストライプ状の隔壁８９が配列されている。各隔壁８９の間にはアドレス電極８８を覆うように蛍光体９０が形成されている。表面基板８２と背面基板８３と隔壁８９とで囲まれた各空間は放電セル９１を形成している。放電セル９１内の空間には放電によって紫外線を放射するガスが封入されている。
【０００４】
図１２に示すように、蛍光体９０は、青色蛍光体９０ｂ、緑色蛍光体９０ｇ、及び赤色蛍光体９０ｒの３色からなり、これら３色の蛍光体が各放電セル内に一色ずつ順次形成されている。この結果、青色蛍光体９０ｂが付設された放電セルは青色の放電セル９１ｂを、緑色蛍光体９０ｇが付設された放電セルは緑色の放電セル９１ｇを、赤色蛍光体９０ｒが付設された放電セルを赤色の放電セル９１ｒを、それぞれ構成する。
【０００５】
次に、従来のパネル８０に画像データを表示させる方法について説明する。
【０００６】
パネル８０の駆動では、１フィールド期間を２進法に基づいた発光期間の重みを持ったサブフィールドに分割し、発光させるサブフィールドの組み合わせによって階調表示を行う。たとえば、１フィールドを８つのサブフィールドに分割した場合、２５６階調の表示を行うことができる。サブフィールドは初期化期間、アドレス期間および維持期間からなる。
【０００７】
画像データを表示するためには、初期化期間、アドレス期間および維持期間でそれぞれ異なる信号波形を電極に印加する。
【０００８】
初期化期間には、たとえば、アドレス電極８８に対して正極性のパルス電圧を、すべての走査電極８６に印加し、保護膜８５および蛍光体９０上に壁電荷を蓄積する。
【０００９】
アドレス期間では、走査電極８６に負極性のパルスを印加することにより走査電極８６を順次走査している間に、アドレス電極８８に正極性のパルス（書き込み電圧）を印加する。このとき、走査電極８６とアドレス電極８８との交差部にある放電セル９１内で放電（書き込み放電）が起こり、荷電粒子が生成される。このような動作を書き込み動作という。
【００１０】
続く維持期間では一定の期間、走査電極８６と維持電極８７との間に放電を維持するのに十分な交流電圧を印加する。これにより、走査電極８６とアドレス電極８８との交差部に生成された放電プラズマは、走査電極８６と維持電極８７との間にこの交流電圧を印加している間、蛍光体９０を励起発光させる。発光を望まない個所では、アドレス期間において走査電極８６にパルスを印加しなければよい。
【００１１】
このような従来のパネルでは、標準白色光源の色度座標と同様の白色を得るために、３色それぞれの放電セル９１の幅（即ち、放電セル９１を構成する両側の隔壁８９の間隔）はそれぞれ互いに異なっている（特開平９−１１５４６６号公報）。具体的には、青色蛍光体９０ｂを持つ放電セル９１ｂの幅が一番広く、緑色の放電セル９１ｇおよび赤色の放電セル９１ｒの幅は青色の放電セル９１ｂの幅よりも狭くなるように構成されている。これは、以下の理由による。即ち、緑色蛍光体９０ｇ、赤色蛍光体９０ｒに比べて青色蛍光体９０ｂの発光効率は悪いので、青色、緑色および赤色の放電セルの幅をすべて同じにした場合には、各色の放電セルに最大入力信号が入力されたとき、３色を合成して得られる色度は白色の領域からはずれたり、色温度が低かったりするなど、所望の色度や色温度が得られない。そこで、上記のように３色それぞれの放電セル９１の幅を変えることによって、各色の放電セルに最大入力信号が入力されたときに、所望の白色が得られるように調整している。
【００１２】
しかし、以上の構造では、青色の放電セル９１ｂの放電開始電圧が他の二色の放電セル９１ｇ，９１ｒの放電開始電圧と異なるという課題があった。図１３はアドレス期間における書き込み動作において、走査電極８６に印加する電圧を一定としたときの、書き込み放電を安定に行なうために必要な書き込み電圧（完全点灯書き込み電圧）を各色の放電セルごとに示している。上記のように従来のパネルでは各色の放電セルごとに必要な書き込み電圧の値が相違する。これに起因して、図から明らかなように、完全点灯書き込み電圧は各色の放電セルによって大きく相違している。従って、全ての放電セルに同一の書き込み電圧を印加すると、書き込み放電が不安定となったり、誤放電や放電ちらつきが発生したりして、正しい表示ができないという問題が発生する。
【００１３】
安定した書き込み動作を行なうためには、アドレス電極８８に印加する書き込み電圧を各色の放電セルの完全点灯書き込み電圧に応じて放電セルの色ごとに変える必要がある。ところが、これは電圧制御が煩雑となり、装置が高価となる。
【発明の開示】
【発明が解決しようとする課題】
【００１４】
本発明は、上記の問題点を解決し、青色、緑色および赤色の各放電セルの幅が異なる場合においても書き込み放電が安定し、誤放電や放電ちらつきがなく、正しい表示ができるＡＣ型プラズマディスプレイパネルを提供することを目的とする。
【課題を解決するための手段】
【００１５】
本発明は、上記の目的を達成するために以下の構成とする。
【００１６】
本発明のＡＣ型プラズマディスプレイパネルは、２つの基板が隔壁を挟んで対向配置され、一方の前記基板上には隣接する隔壁の間に位置するようにアドレス電極が形成され、他方の前記基板上には前記アドレス電極と直交する方向に維持電極および走査電極が形成され、前記２つの基板と前記隔壁とで囲まれた放電セルを複数有し、それぞれの前記放電セル内には蛍光体が形成されており、放電セルを構成する隔壁の間隔を放電セルの幅とするとき、複数色のうち少なくとも一色の蛍光体が形成された放電セルの幅が他の色の蛍光体が形成された放電セルの幅と異なっており、前記複数色のうちの一色の蛍光体が形成された前記放電セルの幅をＷ1、その放電セル内に設けられた前記アドレス電極の幅をＤ1とし、前記Ｗ1の幅の放電セルに形成された前記蛍光体とは異なる色の蛍光体が形成された前記放電セルの幅をＷ2、その放電セル内に設けられた前記アドレス電極の幅をＤ2とするとき、Ｗ1がＷ2よりも大きく、Ｄ1がＤ2よりも大きく、前記Ｗ1の幅の放電セルには青色の蛍光体が形成され、前記Ｗ2の幅の放電セルには緑色または赤色の蛍光体が形成されたことを特徴とする。かかる構成によれば、放電セルの幅（これは放電セルの放電空間の容積に略対応する）に応じてアドレス電極の幅を変更してあるので、各放電セル内の書き込み放電により形成される電荷量を、各放電セルの放電空間の容積に応じたものとすることができる。この結果、放電セルの幅が色ごとに異なる場合において、書き込み放電が安定し、誤放電や放電ちらつきがなく、安定して正しい表示をできる高表示品質のＡＣ型プラズマディスプレイパネルが得られる。また、Ｗ1の幅の放電セルには青色の蛍光体が形成され、Ｗ2の幅の放電セルには緑色または赤色の蛍光体が形成されていることにより、白色発光の色度を高くでき、品位の高い白表示を実現できる。
【００１７】
上記の構成において、前記Ｗ1と前記Ｄ1との比をｒ1、前記Ｗ2と前記Ｄ2との比をｒ2とするとき、ｒ1とｒ2とが等しいことが好ましい。かかる構成によれば、各放電セルの放電空間の容積と、各放電セル内の書き込み放電により形成される電荷量とを、より正確に対応させることができる。
【発明の効果】
【００１９】
本発明によれば、放電セルの幅が色ごとに異なる場合において、書き込み放電が安定し、誤放電や放電ちらつきがなく、安定して正しい表示をできる高表示品質のＡＣ型プラズマディスプレイパネルが得られる。また、放電セルの幅を色ごとに任意に変更することができるので、所望の色度や色温度を有する、白色表示品質が向上したＡＣ型プラズマディスプレイパネルが得られる。
【発明を実施するための最良の形態】
【００２０】
（実施の形態１）
以下、本発明の実施の形態１について図面を用いて説明する。
【００２１】
図１は本発明の実施の形態１に係るＡＣ型プラズマディスプレイパネル（以下、単に「パネル」という）の部分切欠斜視図である。また、図２は図１のＡ−Ａ線における矢印方向から見た断面図である。
【００２２】
図１に示すように、本実施形態のパネル１０では、放電空間を挟んで表面基板２と背面基板３とが対向して配置されている。ガラス等の透明材料からなる表面基板２上には、ストライプ状の走査電極６と維持電極７とを一対としてこれらが互いに略平行に複数配列され、これらは誘電体層４および保護膜５で覆われている。表面基板２と背面基板３との間には、走査電極６および維持電極７と直交する方向にストライプ状（帯状）の隔壁１３が設けられている。表面基板２と背面基板３と隔壁１３とで囲まれた領域には、図２に示すように、順次青色の放電セル１４ｂ、緑色の放電セル１４ｇおよび赤色の放電セル１４ｒが形成される。
【００２３】
隣接する隔壁１３の間には、隔壁１３と平行に、各色の放電セル１４ｂ、１４ｇ、１４ｒに対応してストライプ状のアドレス電極１５ｂ、１５ｇ、１５ｒがそれぞれ設けられ、これらのアドレス電極１５ｂ、１５ｇ、１５ｒ上から両側の隔壁１３の側面にかけて青色の蛍光体１６ｂ、緑色の蛍光体１６ｇおよび赤色の蛍光体１６ｒがそれぞれ形成されている。放電セル１４ｂ、１４ｇ、１４ｒ内にはヘリウム、ネオン、アルゴンの内少なくとも一種とキセノンとの混合ガスが封入されている。
【００２４】
なお、青色の放電セル１４ｂに形成されたアドレス電極１５ｂを青色のアドレス電極１５ｂ、緑色の放電セル１４ｇに形成されたアドレス電極１５ｇを緑色のアドレス電極１５ｇ、赤色の放電セル１４ｒに形成されたアドレス電極１５ｒを赤色のアドレス電極１５ｒと呼ぶ。
【００２５】
図２に示すように、青色の放電セル１４ｂを構成する隔壁１３の間隔、すなわち青色の放電セル幅をＷbとし、緑色の放電セル１４ｇを構成する隔壁１３の間隔、すなわち緑色の放電セル幅をＷgとし、赤色の放電セル１４ｒを構成する隔壁１３の間隔、すなわち赤色の放電セル幅をＷrとするとき、Ｗb＞Ｗg＞Ｗrとなるように設定している。また、青色のアドレス電極１５ｂの幅をＤb、緑色のアドレス電極１５ｇの幅をＤg、赤色のアドレス電極１５ｒの幅をＤrとするとき、Ｄb＞Ｄg＞Ｄrとなるように設定されている。また、各色のアドレス電極１５ｂ、１５ｇ、１５ｒは、それぞれ各色の放電セル１４ｂ、１４ｇ、１４ｒのほぼ中央に位置するように配列されている。
【００２６】
次に、本実施の形態によるパネルの放電発光表示の動作を、図１および図２を用いて説明する。
【００２７】
まず書き込み動作において、アドレス電極１５ｂ、１５ｇ、１５ｒに正の書き込みパルス電圧（書き込み電圧）を印加し、走査電極６に負の走査パルス電圧を印加すると、放電セル１４ｂ、１４ｇ、１４ｒ内で書き込み放電が起こり、走査電極６上の保護膜５の表面に正の電荷が蓄積される。
【００２８】
この後、維持動作において、最初に維持電極７に負の維持パルス電圧を印加し、続けて走査電極６と維持電極７とに負の維持パルス電圧を交互に印加することによって、維持放電が持続される。最後に、維持電極７に負の消去パルス電圧を印加することにより、この維持放電が停止される。
【００２９】
本実施の形態のパネル１０の具体例として、青色、緑色および赤色の放電セル幅をそれぞれＷb1＝０．３７ｍｍ、Ｗg1＝０．２８ｍｍ、Ｗr1＝０．１９ｍｍとし、隔壁１３の幅を０．０８ｍｍとし、青色、緑色および赤色のアドレス電極幅をそれぞれ各色の放電セル幅に比例するようにＤb1＝０．２２２ｍｍ、Ｄg1＝０．１６８ｍｍ、Ｄr1＝０．１１４ｍｍとしている。表示動作中、青色、緑色および赤色の放電セルにおける保護膜５の表面に形成される電荷量をそれぞれＱb1、Ｑg1およびＱr1とする。
【００３０】
図１からわかるように、青色、緑色および赤色の各放電セルの放電空間の容積比率は、近似的に各色の放電セル幅の比率とすることができるので、該容積比率はＷb1：Ｗg1：Ｗr1＝５：４：３となる。また、表示動作中、青色、緑色および赤色の放電セルにおける保護膜５の表面に形成される電荷量の比Ｑb1：Ｑg1：Ｑr1は、ほぼアドレス電極幅の比Ｄb1：Ｄg1：Ｄr1と一致するので、Ｑb1：Ｑg1：Ｑr1＝５：４：３となる。したがって、青色、緑色および赤色の放電セル１４ｂ、１４ｇおよび１４ｒにおける保護膜５の表面にはそれぞれ各色の放電セルの放電空間の容積比にほぼ一致した電荷量Ｑb1，Ｑg1，Ｑr1が得られる。その結果、誤放電の発生が少なく、表示特性のよいパネルを得ることができる。
【００３１】
例えば、比較例として青色、緑色および赤色の放電セル幅を本実施形態の具体例のパネルと同じように、それぞれＷb2＝０．３７ｍｍ、Ｗg2＝０．２８ｍｍ、Ｗr2＝０．１９ｍｍとし、各色の放電セルのアドレス電極幅をそれぞれＤb2＝Ｄg2＝Ｄr2＝０．１８ｍｍのようにすべて同じにする。このパネルでは、表示動作中において、青色、緑色および赤色の放電セルにおける保護膜５の表面に形成される電荷量の比Ｑb2：Ｑg2：Ｑr2は、アドレス電極幅の比Ｄb2：Ｄg2：Ｄr2となる。すなわちＱb2：Ｑg2：Ｑr2＝１：１：１となるので、各色の放電セルにおける保護膜５の表面に蓄積される電荷はそれぞれ対応する放電セルの放電空間の容積の比に比例しないことになる。この場合、最も幅の広い放電セルである青色の放電セル１４ｂにおいて放電が不安定となり、誤放電や放電ちらつきを引き起こす。
【００３２】
次に、前述した本実施形態の具体例と比較例のパネルについて、書き込み動作における書き込み放電を安定に行うことができる書き込み電圧（完全点灯書き込み電圧）を測定した結果を図３に示す。図３において、本実施形態の具体例および比較例のパネルで測定した結果をそれぞれ実線および破線で表している。以下の説明においては、青色、緑色および赤色の放電セルの完全点灯書き込み電圧をそれぞれＶbd、ＶgdおよびＶrdとする。
【００３３】
図３に示すように、比較例のパネルでは青色、緑色および赤色の放電セルの完全点灯書き込み電圧はＶbd＞Ｖgd＞Ｖrdとなり、それぞれの電圧値の差が大きいことがわかる。このようなパネルの放電表示動作を安定に行うためには、各色の放電セルの完全点灯書き込み電圧のうち、最も高い青色の放電セルの完全点灯書き込み電圧Ｖbd以上となるように書き込み電圧を設定する必要がある。この場合、完全点灯書き込み電圧が最も低い赤色の放電セルには、Ｖrdよりも１０Ｖ以上高い電圧が印加されることになるため、放電が不安定となり、ちらつきや誤った書き込み動作を引き起こすことになる。
【００３４】
一方、本実施形態の具体例のパネルでは図３に示すように、各色の放電セルの完全点灯書き込み電圧Ｖbd、Ｖgd、Ｖrdはほぼ同じ値となっているので、書き込み動作が各色の放電セルの間で均一となり、表示発光のちらつきや誤った書き込み動作の発生をなくすことができる。
【００３５】
したがって、表示動作中、青色、緑色および赤色の放電セルの放電空間の容積に合わせた電荷量が各色の放電セルにおける保護膜５の表面に蓄積するように、各色のアドレス電極１５ｂ，１５ｇ，１５ｒの幅を適切に設定することにより、誤放電や放電ちらつきがなく安定した表示放電を行うことのできるパネルを得ることができる。
【００３６】
なお、本実施の形態では、各色の放電セル幅がＷb＞Ｗg＞Ｗrである場合について説明したが、各色の放電セル幅の大きさの関係がこれ以外の場合であっても、アドレス電極の幅を、そのアドレス電極が形成された放電セルの幅に比例して設定することにより、誤放電や放電ちらつきがなく安定した表示放電を行うことができるパネルを得ることができる。また、本実施の形態では、各色の放電セルにおいて、アドレス電極の幅を放電セル幅に比例するように設定したものについて説明したが、単に放電セル幅の大きさの順にアドレス電極の幅を設定したパネルにおいても、誤放電や放電ちらつきがなく安定した表示放電を行うことができるパネルを得ることができる。
【００３７】
（実施の形態２）
以下、本発明の実施の形態２について図面を用いて説明する。
【００３８】
図４は本発明の実施の形態２に係るＡＣ型プラズマディスプレイパネル（以下、単に「パネル」という）の厚み方向断面図である。
【００３９】
図４に示すように、本実施形態のパネル２０では、表面基板２と背面基板３とが所定の間隔をあけて対向して設けられているとともに、その間隙には放電によって紫外線を放射するガス、例えばネオンおよびキセノンが封入されている。表面基板２上には帯状の走査電極６と維持電極７とからなる表示電極群が略平行に形成され、さらにそれらを覆って誘電体層４が形成されている。なお、図示していないが誘電体層４上には実施の形態１と同様に保護層が設けられていても良い。背面基板３上には走査電極６および維持電極７と直交する方向にアドレス電極１５が形成されている。表面基板２と背面基板３との間には複数の帯状の隔壁１３がアドレス電極１５と平行に設けられている。
【００４０】
隣接する隔壁１３の間には、アドレス電極１５を覆って背面基板３上に青色蛍光体１６ｂ、緑色蛍光体１６ｇおよび赤色蛍光体１６ｒの蛍光体１６が１色ずつ順次付設されている。そして、表面基板２と背面基板３と隔壁１３とで囲まれた領域には放電セル１４が形成されており、青色蛍光体１６ｂが付設された放電セルを青色の放電セル１４ｂ、緑色蛍光体１６ｇが付設された放電セルを緑色の放電セル１４ｇ、赤色蛍光体１６ｒが付設された放電セルを赤色の放電セル１４ｒとする。
【００４１】
次に、本実施の形態のパネル２０に画像データを表示させるためのパネル２０の駆動方法について図５を参照しながら説明する。
【００４２】
パネル２０を駆動する方法として、１フィールド期間を２進法に基づいた発光期間の重みを持ったサブフィールドに分割し、発光させるサブフィールドの組み合わせによって階調表示を行う点については従来と同様であり、サブフィールドは初期化期間、アドレス期間および維持期間からなる。
【００４３】
図５は各電極に印加する電圧波形を示している。図５に示すように、初期化期間において、すべての走査電極６に、維持電極７およびアドレス電極１５に対して緩やかに上昇し、その後、緩やかに下降する波形を有する電圧（傾斜電圧）を印加することにより、誘電体層６および蛍光体１６上に壁電荷が蓄積される。
【００４４】
アドレス期間では、アドレス電極１５に表示データに応じた正極性のパルスを印加し、走査電極６に順次、負極性のパルスを印加する。このとき、アドレス電極１５と走査電極６との交差部にある放電セル１４内で書き込み放電（アドレス放電）が起こり、荷電粒子が生成される。表示を行わない放電セル１４に対応したアドレス電極１５には正極性のパルスを印加しない。
【００４５】
続く維持期間においては、走査電極６と維持電極７との間に一定の期間、放電を維持するのに十分な大きさの交流電圧を印加することにより、書き込み放電（アドレス放電）が発生した放電セル１４において放電プラズマが生成される。このように生成された放電プラズマが蛍光体１６を励起発光させることによりパネルの表示が行われる。
【００４６】
本実施の形態において、青色蛍光体１６ｂとしてＢａＭｇＡｌ10Ｏ17；Ｅｕを、緑色蛍光体１６ｇとしてＺｎ2ＳｉＯ4；Ｍｎを、赤色蛍光体１６ｒとして（Ｙ2Ｇｄ）ＢＯ3；Ｅｕをそれぞれ用いている。また、青色の放電セル１４ｂの幅Ｗbを０．３７ｍｍ、緑色の放電セル１４ｇの幅Ｗgを０．２８ｍｍ、赤色の放電セル１４ｒの幅Ｗrを０．１９ｍｍ、隔壁１３の幅を０．０８ｍｍとし、それら三色の放電セルの幅の合計を１．０８ｍｍとしており、この場合、三色の蛍光体の発光を合成した白色発光の色度はほぼ１０,０００Ｋの黒体放射軌跡上に位置し、品位の高い白色表示を実現できた。
【００４７】
次に初期化期間からアドレス期間における、ある放電セルの壁電圧の変化について図５および図６を参照しながら説明する。図６（ａ）において実線は維持電極７に対する走査電極６の相対電位Ｖe（Ｖ）を示しており、破線は誘電体層４の上に蓄積される壁電圧Ｖw（Ｖ）を示している。放電空間に加わる電圧は、ＶeとＶwとの差Ｖe−Ｖwとなる。図６（ｂ）は放電空間に流れる電流Ｉsを示している。
【００４８】
初期化期間の前半である時間ｔ1〜ｔ3では、図５に示すように走査電極６に０からＶc（Ｖ）まで緩やかに上昇する傾斜電圧が印加されており、図６に示すように放電空間に加わる電圧Ｖe−Ｖwが放電開始電圧Ｖf（Ｖ）以上になる時間ｔ2において放電が起こり、相対電位Ｖeの増加にともなって壁電圧Ｖwも増加する。次に時間ｔ3において維持電極７の電位をＶs（Ｖ）に上げる。この結果、相対電位Ｖeが低下し、放電空間に加わる電圧Ｖe−Ｖwが放電開始電圧Ｖf未満になるので、放電が停止する。その後、走査電極６の電位がＶcから０にまで緩やかに下降するような傾斜電圧を走査電極６に印加する。このような傾斜電圧の印加に伴って相対電位Ｖeが低下して、放電空間に加わる電圧Ｖe−Ｖwの絶対値が放電開始電圧Ｖf以上になる時間ｔ4で再び放電が開始する。この時間ｔ4から開始する放電によって壁電圧Ｖwも緩やかに下降し、走査電極６に印加する電圧が０になる時間ｔ5で放電は停止する。この時、放電空間には残留電圧Ｖg＝Ｖw−Ｖeの加わった状態で安定する。
【００４９】
初期化期間で放電が起こった時に流れる電流Ｉs（Ａ）はdＶe/dｔに比例するため、走査電極６に印加する電圧の変化率、すなわちdＶe/dｔを十分に小さくすることにより、電流Ｉsを非常に低い値に抑えることができる。また、壁電圧Ｖwは放電によって誘電体層４上に壁電荷が形成されることによって発生する。したがって、緩やかな傾斜電圧を印加した場合、壁電荷は放電空間に加わる電圧Ｖe−Ｖwが放電開始電圧Ｖfを越えた時点から形成され始め、走査電極６に印加する電圧の増加とほぼ比例しながら増加していく。その後、走査電極６に印加する電圧を緩やかに下降させると、壁電荷は放電空間に加わる電圧Ｖe−Ｖwの絶対値が放電開始電圧Ｖfを越えた時点から減少し始め、走査電極６に印加する電圧の低下とほぼ比例しながら減少していく。その結果、時間ｔ5では残留電圧Ｖgと放電開始電圧Ｖfとは等しくなっている。時間ｔ5以降、放電空間に残留している荷電粒子が壁電荷として蓄積されるため残留電圧Ｖgが若干変化する可能性があるが、電流Ｉsが非常に低い値であることから、その変化はわずかであり、時間ｔ5以降もＶg≒Ｖfの関係が保たれる。
【００５０】
走査電極に傾斜電圧を印加したときの相対電位Ｖeと残留電圧Ｖgとの関係を図７に詳細に示す。図７は、本実施の形態のように青色の放電セルの放電開始電圧Ｖfbが、赤色および緑色の放電セルの放電開始電圧ＶfrおよびＶfgと異なる場合の、青色、赤色および緑色の放電セルの壁電圧Ｖwb、ＶwrおよびＶwgの変化を点線で示している。なお、実線は走査電極６に傾斜電圧を印加したときの維持電極７に対する走査電極６の相対電位Ｖeを示している。青色の放電セルは放電開始電圧Ｖfbが高いため、図７に示すように赤色および緑色の放電セルよりも後に放電が開始するが、放電が停止するタイミングは三色の放電セルにおいて同じ（図６の時間ｔ3）であるため、青色の放電セルの残留電圧Ｖgbは最も高く、Ｖgb≒Ｖfbとなる。同様に赤色および緑色の放電セルの残留電圧ＶgrおよびＶggについてもＶgr≒Ｖfr、Ｖgg≒Ｖfgとなる。走査電極６に印加する電圧を緩やかに下降させていったときも同様であって、赤色および緑色の放電セルの放電開始後、青色の放電セルの放電が開始するが、放電が停止するタイミングは三色の放電セルにおいて同じ（図６の時間ｔ5）であるため、青色の放電セルの残留電圧Ｖgbは最も高く、Ｖgb≒Ｖfbとなる。同様に赤色および緑色の放電セルの残留電圧ＶgrおよびＶggはＶgr≒Ｖfr、Ｖgg≒Ｖfgとなる。
【００５１】
以上のことから、初期化期間が終了した時点で各色の放電セルの放電空間に加わっている電圧（これは残留電圧に一致する）は、その放電セルの放電開始電圧にほぼ一致していることがわかる。そこでアドレス期間に入るとき、図５に示すように時間ｔ6において走査電極６の電位を一旦、バイアス電位ＶB（Ｖ）に引き上げることにより、誤放電の発生を防止している。その後、アドレス電極１５に正極性のパルス（書き込み電圧）が印加されるタイミングに合わせて、走査電極６の電位を順次０（Ｖ）に戻すことにより、走査電極６に走査パルスを印加していく（書き込み動作）。このとき、誘電体層４に蓄積された壁電圧はそのまま保たれているので、走査電極６の電位を０（Ｖ）に戻すことによって、各放電セルにその放電セルの放電開始電圧にほぼ等しい電圧が加わることになる。よって、これに合わせて一定の値のパルスをアドレス電極１５に印加することによって、各色の放電セルで同様に書き込み放電を開始することができる。
【００５２】
図８に本実施の形態のパネルを用いて、上記の書き込み動作時の書き込み放電を安定に行なうことができる書き込み電圧（完全点灯書き込み電圧）を測定した結果を示す。ここで、Ｖs＝１９０（Ｖ）、Ｖc＝４５０（Ｖ）、ＶB＝１００（Ｖ）、ｔ5−ｔ1＝１（ｍｓ）、Ｖc／（ｔ5−ｔ3）＝０．７（Ｖ／μｓ）とした。本実施の形態によれば、各色の放電セルの完全点灯書き込み電圧はほぼ同じ値となっているので、書き込み動作が各色の放電セルの間で均一となり、表示発光のちらつきや誤った書き込み動作の発生をなくすことができる。この結果、安定な書き込み動作（アドレス動作）ができることがわかる。
【００５３】
更に、図８からわかるように、本実施の形態のパネルにおいては各色の放電セルに書き込みを行なうために必要な最小電圧は４０Ｖ未満であり、従来のパネルでは１００Ｖ近くを要したのに比較して大幅に低減されており、書き込みパルス発生回路に低価格のＩＣを用いることができる。
【００５４】
なお比較のため、従来のパネルのように、初期化期間において走査電極６にパルス電圧を印加して壁電荷を形成した場合の維持電極７に対する走査電極６の相対電位Ｖeと壁電圧Ｖwの関係を図９（ａ）に示す。また、そのときの放電空間に流れる電流を図９（ｂ）に示す。走査電極６に急峻に立ち上がるパルス電圧を印加すると、放電は瞬時に開始するとともに大きな電流が流れる。したがって、誘電体層４に蓄積される壁電圧Ｖwも急激に立ち上がり、放電空間に加わる電圧を減衰させ、放電電流はパルス的に流れて停止する。放電電流が停止した後も、空間には多数の荷電粒子が残留しているため、最終的には放電空間に加わる電圧Ｖe−Ｖwが０になるまで、壁電荷が形成される。
【００５５】
したがって、従来のパネルにおいて初期化期間に形成される壁電圧は、初期化パルスの大きさで決まる値となり、放電セルの放電開始電圧とは無関係となる。このため、図１３に示したように、完全点灯書き込み電圧が各色の放電セルによって大きく相違することとなり、安定した書き込み動作を行なうためには、アドレス期間において要求される書き込み電圧（アドレス電圧）Ｖaを、各色の放電セルの放電開始電圧に合わせて変える必要がある。
【００５６】
本発明者らが種々のパネル設計値について実験した結果によると、初期化期間における傾斜電圧の勾配が１０Ｖ／μｓ以下であれば、本実施の形態に示したような効果が確認された。このように初期化期間に緩やかに上昇または下降する電圧波形を印加することにより、本実施の形態の構成を持つパネルを安定に駆動することができる。
【００５７】
また、初期化期間における傾斜電圧の勾配の下限については０にならない限り安定なアドレス動作を得ることができるが、２５６階調表示をする場合１フィールドの時間は約１６ｍｓであることから、傾斜電圧の勾配の実用範囲としては、０．５Ｖ／μｓ以上に限られる。
【００５８】
以上のように本実施の形態においては、白色表示の品質を向上するとともに、アドレス期間における書き込み電圧（アドレス電圧）を全ての色の放電セルに対して一定にしても安定した書き込み動作ができ、その結果安定した表示を実現するＡＣ型プラズマディスプレイパネルを得ることができる。
【００５９】
次に、上記とは別の実施の形態を図１０を用いて説明する。
【００６０】
本実施の形態に係るＡＣ型プラズマディスプレイパネル（以下、単に「パネル」という）は、図４に示す上記の実施の形態のパネルと同じ構成をとる。本実施形態が上記の実施形態と異なるのは、初期化期間において走査電極６の電位を一定の値にまで急峻に引き上げた後、傾斜電圧を印加している点である。
【００６１】
図６からわかるように、時間ｔ2で放電空間に加わる電圧Ｖe−Ｖwが放電開始電圧Ｖfに達し、放電が開始するとともに壁電圧が形成され始めている。即ち、放電が開始するまでの期間（時間ｔ2に至るまでの時間）は冗長な時間となっている。そこで本実施の形態においては、図１０に示すように、維持電極７に対する走査電極６の相対電位Ｖeが放電開始電圧をわずかに下回る値にまで急峻に立ち上がるように、走査電極６に急峻な波形を有する電圧を印加し、その後緩やかな勾配を持った傾斜電圧を印加している。
【００６２】
この結果、初期化期間の時間は短縮され、維持期間に割り当てられる時間を増加することによって、発光の輝度を高めることが可能となる。
【００６３】
以上のように本実施の形態においては、白色表示の品質を向上するとともに、アドレス期間における書き込み電圧（アドレス電圧）を全ての色の放電セルに対して一定にしても安定した書き込み動作ができ、その結果安定した表示を実現でき、更に発光の輝度を高めたＡＣ型プラズマディスプレイパネルを得ることができる。
【００６４】
以上の実施の形態では、青色の放電セルの幅を他の色の放電セルの幅よりも広げた場合について説明したが、得ようとする白色表示の色度によっては、上記実施の形態とは異なる比率で放電セルの幅を変化させてもよい。また、用いる蛍光体の特性によっても、放電セルの幅は上記実施の形態と異なるものにした方がよい場合がある。
【００６５】
また、以上の実施の形態では、初期化期間において、すべての走査電極に、維持電極およびアドレス電極に対して緩やかに上昇し、その後、緩やかに下降する傾斜部を有する電圧波形を印加した場合について説明したが、すべての維持電極に、走査電極およびアドレス電極に対して緩やかに上昇し、その後、緩やかに下降する傾斜部を有する電圧波形を印加した場合、または、すべてのアドレス電極に、走査電極および維持電極に対して緩やかに上昇し、その後、緩やかに下降する傾斜部を有する電圧波形を印加した場合でも、同様の効果を得ることができる。
【００６６】
さらに、初期化期間の電圧波形として、緩やかに上昇した後、下降する波形について説明したが、上記実施の形態とは異なる波形でも、初期化期間の最後での各放電セルの残留電圧Ｖgがそれぞれの放電セルの放電開始電圧Ｖfにほぼ一致するように傾斜電圧波形を設定することにより、同様の効果を得ることができる。
【００６７】
また、以上の実施の形態では、表面基板と背面基板との間に、帯状の隔壁が略平行に複数本配列されたパネルを例示したが、本発明のパネルはこのような構成に限定されない。例えば、略平行な帯状の複数の隔壁を縦方向及び横方向に交差するように（即ち、略格子状に）配置したパネルであっても良い。この場合、アドレス電極は縦方向又は横方向のいずれかの隔壁と略平行に形成され、維持電極及び走査電極は該アドレス電極と直交する方向に形成される。なお、この場合において放電セルの幅は、アドレス電極の幅方向と同方向の幅である。
【００６８】
以上に説明した実施の形態は、いずれもあくまでも本発明の技術的内容を明らかにする意図のものであって、本発明はこのような具体例にのみ限定して解釈されるものではなく、その発明の精神と請求の範囲に記載する範囲内でいろいろと変更して実施することができ、本発明を広義に解釈すべきである。
【産業上の利用可能性】
【００６９】
本発明によれば、放電セルの幅が色ごとに異なる場合において、書き込み放電が安定し、誤放電や放電ちらつきがなく、安定して正しい表示をできる高表示品質のＡＣ型プラズマディスプレイパネルが得られる。
【図面の簡単な説明】
【００７０】
【図１】本発明の実施の形態１のＡＣ型プラズマディスプレイパネルの部分切欠斜視図である。
【図２】図１のＡ−Ａ線における矢印方向から見た断面図である。
【図３】実施の形態１のプラズマディスプレイパネル及び比較例のプラズマディスプレイパネルの完全点灯書き込み電圧を各色の放電セル別に示した図である。
【図４】本発明の実施の形態２のＡＣ型プラズマディスプレイパネルの断面図である。
【図５】実施の形態２のＡＣ型プラズマディスプレイパネルの駆動電圧波形を示す図である。
【図６】実施の形態２における、ある放電セルの壁電圧の変化を説明するための図である。
【図７】実施の形態２の初期化期間における、各色の放電セルの壁電圧の変化を説明するための図である。
【図８】実施の形態２のプラズマディスプレイパネルの完全点灯書き込み電圧を各色の放電セル別に示した図である。
【図９】従来のＡＣ型プラズマディスプレイパネルの初期化期間における壁電圧の変化を示す図である。
【図１０】本発明の実施の形態２の別の例に係るＡＣ型プラズマディスプレイパネルの駆動電圧波形を示す図である。
【図１１】従来のＡＣ型プラズマディスプレイパネルの部分切欠斜視図である。
【図１２】図１１のＢ−Ｂ線における矢印方向から見た断面図である。
【図１３】従来のプラズマディスプレイパネルの完全点灯書き込み電圧を各色の放電セル別に示した図である。
【符号の説明】
【００７１】
２  表面基板
３  背面基板
６  走査電極
７  維持電極
１３  隔壁
１４、１４ｂ、１４ｇ、１４ｒ  放電セル
１５、１５ｂ、１５ｇ、１５ｒ  アドレス電極
１６  蛍光体
１６ｒ  赤色蛍光体
１６ｇ  緑色蛍光体
１６ｂ  青色蛍光体
【図１】
0004435769.tif 000002
【図２】
0004435769.tif 000003
【図３】
0004435769.tif 000004
【図４】
0004435769.tif 000005
【図５】
0004435769.tif 000006
【図６】
0004435769.tif 000007
【図７】
0004435769.tif 000008
【図８】
0004435769.tif 000009
【図９】
0004435769.tif 000010
【図１０】
0004435769.tif 000011
【図１１】
0004435769.tif 000012
【図１２】
0004435769.tif 000013
【図１３】
0004435769.tif 000014